(57)【要約】【課題】設定操作が途中で中断した場合の設定内容を他の装置で再現し、利用することができる画像形成システム、画像形成装置、プログラムを提供する。【解決手段】  ある画像形成装置において、設定操作が途中で中断した場合の設定内容を、他の画像形成装置に送信し、送信先の画像形成装置は、送信された設定内容を再現する。その際に、送信元の画像形成装置で発生した禁則設定の機能が送信先の画像形成装置で実行可能ならば、その機能を設定する。【選択図】図４
2013089982.tif 000002
【特許請求の範囲】
【請求項１】
ユーザからの設定操作を受け付ける操作部と、外部の機器と通信するネットワークＩ／Ｆ部と、を備える第１、第２の画像形成装置が通信可能に接続された画像形成システムであって、
第１の画像形成装置は、前記操作部で受け付けた設定操作が途中で中断した場合の設定内容を前記第２画像形成装置へ送信し、
第２の画像形成装置は、第１の画像形成装置から前記設定内容を受信し、その設定内容を自装置に設定して再現する
ことを特徴とする画像形成システム。
【請求項２】
前記設定操作が途中で中断するタイミングは、設定の途中において禁則設定が発生した時、もしくはユーザが設定の途中でログアウトした時である
ことを特徴とする請求項１に記載の画像形成システム。
【請求項３】
第２の画像形成装置は、表示部をさらに備え、前記再現する設定内容の機能を前記表示部に表示する際に、第１の画像形成装置では実行できなかったが第２の画像形成装置では実行可能な機能に係る表示を強調表示する
ことを特徴とする請求項１または２のいずれか１つに記載の画像形成システム。
【請求項４】
第２の画像形成装置は、前記再現する設定内容の機能を前記表示部に表示する際に、第１の画像形成装置では実行可能であったが第２の画像形成装置では実行できない機能について、前記表示部に設定不可能な旨を表示する
ことを特徴とする請求項３に記載の画像形成システム。
【請求項５】
第１の画像形成装置は、
前記途中で中断した設定内容を記憶する記憶部をさらに備え、
前記記憶部に記憶している設定内容の送信要求を第２の画像形成装置から受けた場合は前記設定内容を第２の画像形成装置に送信し、
前記記憶部に記憶してから所定時間の経過した設定内容は前記記憶部から消去する
ことを特徴とする請求項１乃至４のいずれか１つに記載の画像形成システム。
【請求項６】
設定情報管理サーバをさらに備え、
第１の画像形成装置は、前記途中で中断した場合の設定内容を前記設定情報管理サーバに対して送信し、
第２の画像形成装置は、前記設定情報管理サーバから前記設定内容を受信する
ことを特徴とする請求項１乃至５のいずれか１つに記載の画像形成システム。
【請求項７】
ユーザからの設定操作を受け付ける操作部と、
他の画像形成装置と通信を行うネットワークＩ／Ｆ部と、
制御部と、
を備え、
前記制御部は、前記操作部で受け付けた設定操作が途中で中断した場合の設定内容を、前記ネットワークＩ／Ｆ部によって前記他の画像形成装置に送信する
ことを特徴とする画像形成装置。
【請求項８】
前記制御部は、前記操作部が設定操作を受け付けている途中で禁則設定が発生した場合に前記設定操作を途中で中断させ、前記発生した禁則設定の内容と前記禁則設定が発生する前までの設定内容とを前記他の画像形成装置に送信する
ことを特徴とする請求項７に記載の画像形成装置。
【請求項９】
前記制御部は、設定操作の途中で禁則設定が発生した他の画像形成装置から該禁則設定が発生するまでの設定内容と該禁則設定の内容とを受信し、該禁則設定および禁則設定が発生するまでの設定内容のうち、自装置で実行可能な設定内容を自装置に設定して再現する
ことを特徴とする請求項７または８のいずれか１つに記載の画像形成装置。
【請求項１０】
表示部をさらに備え、
前記制御部は、前記再現する設定内容の機能を前記表示部に表示する際に、前記他の画像形成装置において禁則設定であった設定内容が自装置で設定可能ならば、その機能に係る表示を強調表示する
ことを特徴とする請求項７乃至９のいずれか１つに記載の画像形成装置。
【請求項１１】
前記制御部は、前記再現する設定内容の機能を前記表示部に表示する際に、前記他の画像形成装置では実行可能であるが、自装置では実行できない機能について、前記表示部に設定不可能な旨を表示する
ことを特徴とする請求項１０に記載の画像形成装置。
【請求項１２】
ユーザからの設定操作を受け付ける操作部と、
他の画像形成装置と通信を行うネットワークＩ／Ｆ部と、
を備える画像形成装置を、
前記操作部で受け付けた設定が途中で中断した場合の設定内容を、前記ネットワークＩ／Ｆ部によって前記他の画像形成装置に送信するように動作させる
ことを特徴とするプログラム。
【請求項１３】
前記画像形成装置を、
前記操作部が設定操作を受け付けている途中で禁則設定が発生した場合に前記設定操作を途中で中断させ、前記発生した禁則設定の内容と前記禁則設定が発生する前までの設定内容とを前記他の画像形成装置に送信するように動作させる
ことを特徴とする請求項１２に記載のプログラム。
【請求項１４】
前記画像形成装置を、
設定操作の途中で禁則設定が発生した他の画像形成装置から禁則設定が発生するまでの設定内容と該禁則設定の内容とを受信し、該禁則設定および禁則設定が発生するまでの設定内容のうち、自装置で実行可能な設定内容を自装置に設定して再現するように動作させる
ことを特徴とする請求項１２または１３のいずれか１つに記載のプログラム。
【請求項１５】
表示部をさらに備えた前記画像形成装置を、
前記再現する設定内容の機能を前記表示部に表示する際に、前記他の画像形成装置において禁則設定であった設定内容が自装置で設定可能ならば、その機能に係る表示を強調表示するように動作させる
ことを特徴とする請求項１２乃至１４のいずれか１つに記載のプログラム。
【請求項１６】
前記画像形成装置を、
前記再現する設定内容の機能を前記表示部に表示する際に、前記他の画像形成装置では実行可能であるが、自装置では実行できない機能について、前記表示部に設定不可能な旨を表示するように動作させる
ことを特徴とする請求項１５に記載のプログラム。
【発明の詳細な説明】
【技術分野】
【０００１】
本発明は、操作部から入力された設定内容を再現させる、画像形成システム、画像形成装置およびそのプログラムに関する。
【背景技術】
【０００２】
従来、オフィスなどにおいて、ユーザに使用される印刷機や、プリント、スキャン、コピー、ファックス機能を備える複合機などの画像形成装置では、本体に設置された操作パネル等を利用して印刷設定や本体設定などの設定が行われる。
【０００３】
このような画像形成装置はさまざまな機能が搭載されており、設定できる項目も多岐に亘る。ユーザが、多くの項目を設定しようとする場合、その項目が多ければ多いほど設定操作は複雑になる。たとえば、設定が完了するまでに多くの操作手順（複雑な設定操作）を必要とする設定内容で印刷を行う場合、その設定内容の印刷を行う度に、その設定内容を同じ操作手順で再設定するのは、非常に手間がかかる。そこで、設定が完了した場合の設定内容を保存し、自装置や他の装置で、その設定内容を再現する技術が提案されている（特許文献１参照）。
【０００４】
また、設定途中で設定操作が中断した場合の設定内容を保存しておき、次回使用時にその途中まで設定した設定内容を呼び出して自装置に再現する技術が提案されている（特許文献２参照）。
【先行技術文献】
【特許文献】
【０００５】
【特許文献１】特開２０１０−０２３４５１号公報
【特許文献２】特開２００６−２５６１１８号公報
【発明の概要】
【発明が解決しようとする課題】
【０００６】
設定途中の内容を自装置に再現する特許文献２に開示の技術は、たとえば、設定途中で何かの用があって画像形成装置から一旦離れ、その間に別のユーザが使用したため、戻ってきたときには設定内容が消えていたような場合には便利である。
しかし、たとえば、使用したい機能が禁則設定に該当する等、画像形成装置の性能・機能に係る制限で設定操作を中断した場合には、その途中で中断した設定内容が同じ画像形成装置に再現されても仕方がない。このような場合、特許文献２に開示の技術では対応できず、ユーザは使用する画像形成装置を変更して、同じ内容の設定操作を初めからやり直さなければならなかった。また、変更先の画像形成装置がユーザにとって使い慣れていない装置である場合には、設定内容を再現するまでに長い時間を費やして不便であった。
【０００７】
本発明は、上記の問題を解決しようとするものであり、設定途中で中断した設定内容を他の画像形成装置で再現して利用することのできる画像形成システム、画像形成装置およびそのプログラムを提供することを目的としている。
【課題を解決するための手段】
【０００８】
かかる目的を達成するための本発明の要旨とするところは、次の各項の発明に存する。
【０００９】
［１］ユーザからの設定操作を受け付ける操作部と、外部の機器と通信するネットワークＩ／Ｆ部と、を備える第１、第２の画像形成装置が通信可能に接続された画像形成システムであって、
第１の画像形成装置は、前記操作部で受け付けた設定操作が途中で中断した場合の設定内容を前記第２画像形成装置へ送信し、
第２の画像形成装置は、第１の画像形成装置から前記設定内容を受信し、その設定内容を自装置に設定して再現する
ことを特徴とする画像形成システム。
【００１０】
上記［１］および下記［７］、［９］、［１２］、［１４］に係る発明では、第１の画像形成装置は、設定操作が途中で中断した場合の設定内容を第２の画像形成装置に送信し、第２の画像形成装置はその設定内容を受信し、自装置に設定して再現する。これにより、たとえば、ユーザが画像形成装置の選択過誤等によって、使用する画像形成装置を変更する場合において、途中まで設定した設定内容を、変更先の画像形成装置で再現する際にかかる手間を低減することができる。
【００１１】
［２］前記設定操作が途中で中断するタイミングは、設定の途中において禁則設定が発生した時、もしくはユーザが設定の途中でログアウトした時である
ことを特徴とする［１］に記載の画像形成システム。
【００１２】
上記［２］および下記［８］、［１３］に係る発明では、設定の途中において禁則設定が発生した時、もしくはユーザが設定の途中でログアウトした時に、設定操作が途中で中断したものとして扱われ、その時点までの設定内容が送信対象にされる。これにより、送信対象となる設定操作の中断か否かを判断するタイミングが限定される為、その判断に係る処理負担を減らすことができる。なお、禁則設定の発生によって設定操作が中断した場合は、その発生した禁則設定の内容も送信対象の設定内容に含まれる。
【００１３】
［３］第２の画像形成装置は、表示部をさらに備え、前記再現する設定内容の機能を前記表示部に表示する際に、第１の画像形成装置では実行できなかったが第２の画像形成装置では実行可能な機能に係る表示を強調表示する
ことを特徴とする［１］または［２］のいずれか１つに記載の画像形成システム。
【００１４】
上記［３］および下記［１０］、［１５］に係る発明では、設定内容を再現する際に、第１の画像形成装置で禁則設定であったが第２の画像形成装置で実行可能な機能については、その機能に係る表示を強調表示する。これによってユーザは第１の画像形成装置で禁則設定であったが、第２の画像形成装置では実行可能となった機能を容易に確認できる。強調表示の態様は、強調文字を使用する、点滅表示する、特定色で表示する、など任意でよい。
【００１５】
［４］第２の画像形成装置は、前記再現する設定内容の機能を前記表示部に表示する際に、第１の画像形成装置では実行可能であったが第２の画像形成装置では実行できない機能について、前記表示部に設定不可能な旨を表示する
ことを特徴とする［３］に記載の画像形成システム。
【００１６】
上記［４］および下記［１１］、［１６］に係る発明では、設定内容を再現する際に、第１の画像形成装置では実行可能であったが、第２の画像形成装置では実行できなくなった機能についてその旨を表示部に表示する。これによりユーザは、第２の画像形成装置に変更したことで設定不可となった機能を容易に確認することができる。
【００１７】
［５］第１の画像形成装置は、
前記途中で中断した設定内容を記憶する記憶部をさらに備え、
前記記憶部に記憶している設定内容の送信要求を第２の画像形成装置から受けた場合は前記設定内容を第２の画像形成装置に送信し、
前記記憶部に記憶してから所定時間の経過した設定内容は前記記憶部から消去する
ことを特徴とする［１］乃至［４］のいずれか１つに記載の画像形成システム。
【００１８】
上記発明では、第１の画像形成装置は、設定操作が途中で中断した場合の設定内容を保存しておき、第２の画像形成装置から送信要求を受けたとき、保存している設定内容を第２の画像形成装置に送信する。また、保存してから一定時間が経過した設定内容は消去する。たとえば、第２の画像形成装置からの送信要求が無いまま一定時間が経過した設定内容は、使用される可能性の低い設定内容と判断して消去する。なお、第２の画像形成装置から送信要求を受けた場合でも、保存から一定時間が経過するまでは保存を継続してもよい。保存を継続することで再度の送信要求に応じることができる。
【００１９】
［６］設定情報管理サーバをさらに備え、
第１の画像形成装置は、前記途中で中断した場合の設定内容を前記設定情報管理サーバに対して送信し、
第２の画像形成装置は、前記設定情報管理サーバから前記設定内容を受信する
ことを特徴とする［１］乃至［５］のいずれか１つに記載の画像形成システム。
【００２０】
上記発明では、第１の画像形成装置は、設定操作が途中で中断した場合の設定内容を設定情報管理サーバに送信し、第２の画像形成装置は、設定情報管理サーバから設定内容を取得する。設定情報管理サーバは、第１の画像形成装置から送信された設定内容を保存し、第２の画像形成装置から送信要求があった場合にその設定内容を第２の画像形成装置に送信する。
【００２１】
［７］ユーザからの設定操作を受け付ける操作部と、
他の画像形成装置と通信を行うネットワークＩ／Ｆ部と、
制御部と、
を備え、
前記制御部は、前記操作部で受け付けた設定操作が途中で中断した場合の設定内容を、前記ネットワークＩ／Ｆ部によって前記他の画像形成装置に送信する
ことを特徴とする画像形成装置。
【００２２】
［８］前記制御部は、前記操作部が設定操作を受け付けている途中で禁則設定が発生した場合に前記設定操作を途中で中断させ、前記発生した禁則設定の内容と前記禁則設定が発生する前までの設定内容とを前記他の画像形成装置に送信する
ことを特徴とする［７］に記載の画像形成装置。
【００２３】
［９］前記制御部は、設定操作の途中で禁則設定が発生した他の画像形成装置から該禁則設定が発生するまでの設定内容と該禁則設定の内容とを受信し、該禁則設定および禁則設定が発生するまでの設定内容のうち、自装置で実行可能な設定内容を自装置に設定して再現する
ことを特徴とする［７］または［８］のいずれか１つに記載の画像形成装置。
【００２４】
［１０］表示部をさらに備え、
前記制御部は、前記再現する設定内容の機能を前記表示部に表示する際に、前記他の画像形成装置において禁則設定であった設定内容が自装置で設定可能ならば、その機能に係る表示を強調表示する
ことを特徴とする［７］乃至［９］のいずれか１つに記載の画像形成装置。
【００２５】
［１１］前記制御部は、前記再現する設定内容の機能を前記表示部に表示する際に、前記他の画像形成装置では実行可能であるが、自装置では実行できない機能について、前記表示部に設定不可能な旨を表示する
ことを特徴とする［１０］に記載の画像形成装置。
【００２６】
［１２］ユーザからの設定操作を受け付ける操作部と、
他の画像形成装置と通信を行うネットワークＩ／Ｆ部と、
を備える画像形成装置を、
前記操作部で受け付けた設定が途中で中断した場合の設定内容を、前記ネットワークＩ／Ｆ部によって前記他の画像形成装置に送信するように動作させる
ことを特徴とするプログラム。
【００２７】
［１３］前記画像形成装置を、
前記操作部が設定操作を受け付けている途中で禁則設定が発生した場合に前記設定操作を途中で中断させ、前記発生した禁則設定の内容と前記禁則設定が発生する前までの設定内容とを前記他の画像形成装置に送信するように動作させる
ことを特徴とする［１２］に記載のプログラム。
【００２８】
［１４］前記画像形成装置を、
設定操作の途中で禁則設定が発生した他の画像形成装置から禁則設定が発生するまでの設定内容と該禁則設定の内容とを受信し、該禁則設定および禁則設定が発生するまでの設定内容のうち、自装置で実行可能な設定内容を自装置に設定して再現するように動作させる
ことを特徴とする［１２］または［１３］のいずれか１つに記載のプログラム。
【００２９】
［１５］表示部をさらに備えた前記画像形成装置を、
前記再現する設定内容の機能を前記表示部に表示する際に、前記他の画像形成装置において禁則設定であった設定内容が自装置で設定可能ならば、その機能に係る表示を強調表示するように動作させる
ことを特徴とする［１２］乃至［１４］のいずれか１つに記載のプログラム。
【００３０】
［１６］前記画像形成装置を、
前記再現する設定内容の機能を前記表示部に表示する際に、前記他の画像形成装置では実行可能であるが、自装置では実行できない機能について、前記表示部に設定不可能な旨を表示するように動作させる
ことを特徴とする［１５］に記載のプログラム。
【発明の効果】
【００３１】
本発明に係る画像形成システム、画像形成装置およびそのプログラムによれば、設定途中で中断した設定内容を他の画像形成装置で再現して利用することができる。
【図面の簡単な説明】
【００３２】
【図１】本発明の実施の形態に係る画像形成システムを示す説明図である。
【図２】本発明の実施の形態に係る画像形成装置の概略構成を示すブロック図である。
【図３】本発明の実施の形態に係る設定情報管理サーバの概略構成を示すブロック図である。
【図４】本発明の実施の形態に係る画像形成システムの流れの一例を示す説明図である。
【図５】設定中に禁則設定が発生した時の画面の一例を示す説明図である。
【図６】図４において第１の画像形成装置内での処理の流れを示す流れ図である。
【図７】設定情報管理サーバに、ジョブ設定情報が一定期間保存される流れを示す流れ図である。
【図８】図４において設定情報管理サーバが、ジョブ設定再現情報を送信するまでの処理の流れを示す流れ図である。
【図９】装置情報フォーマットの一例を示す説明図である。
【図１０】禁則組み合わせ情報フォーマットの一例を示す説明図である。
【図１１】ジョブ設定再現情報としてのジョブ設定表の一例を示す説明図である。
【図１２】設定情報管理サーバがジョブ設定表を作成するまでの処理の流れを示す流れ図である。
【図１３】図４において第２の画像形成装置内で設定途中内容が再現されるまでの処理の流れを示す流れ図である。
【図１４】設定内容の再現において、再現元の設定内容と比べ内容が変更された部分を表示するジョブ設定表の一例を示す説明図である。
【図１５】図１４のジョブ設定表に基づいて設定内容を再現した際の画面の一例を示す説明図である。
【図１６】設定内容を再現する際の処理の流れを示す流れ図である。
【発明を実施するための形態】
【００３３】
以下、図面に基づき本発明の実施の形態を説明する。
【００３４】
図１は、本発明の実施の形態に係る画像形成システム５を示している。画像形成システム５は、第１の画像形成装置１０Ａと、第２の画像形成装置１０Ｂと、設定情報管理サーバ３０がＬＡＮ（Local Area Network）２を通じて接続されている。第１の画像形成装置１０Ａと第２の画像形成装置１０Ｂはどちらも基本的にはほぼ同一構成の画像形成装置１０であるが、印刷設定において実行可能な機能が異なっており、符号末尾の「Ａ」、「Ｂ」で区別する。なお、第１、第２を区別しない場合は画像形成装置１０と記す。また、第１の画像形成装置１０ＡをＭＦＰ−Ａ、第２の画像形成装置１０ＢをＭＦＰ−Ｂと簡易表記することがある。
【００３５】
画像形成装置１０は、原稿を光学的に読み取ってその複製画像を記録紙に印刷するコピージョブ、読み取った原稿の画像データをファイルにして保存したり外部装置へ送信したりするスキャンジョブ、ＰＣから送出されたデータに係る画像を記録紙に印刷して出力するプリントジョブなどのジョブを実行する機能を備えた、所謂、複合機である。本発明では、自機および、他の画像形成装置１０における、ジョブ設定情報や、機器情報等を設定情報管理サーバ３０と送受信する機能を果たす。なお、ジョブ設定情報とは、ユーザが設定したジョブの設定内容を示す情報である。ジョブ設定情報は、ユーザが設定操作を通じて設定した設定内容のみではなく、ユーザが設定変更しなかったデフォルトの設定内容も含んでおり、ジョブの設定に係るすべての設定項目の設定値を示している。また、ジョブ設定情報は、発生した禁則設定の内容と、ログインしているユーザを示すユーザ情報なども含む。なお、禁則設定とは、個々の機能は実行できるが組み合わせると実行不可能となる機能の組み合わせのことである。
【００３６】
機器情報は、画像形成装置１０の装置状態情報と、禁則組み合わせ情報とからなる。装置状態情報は、装置の性能、当該装置の有するすべての機能、消耗品の残量、各部のステータス情報などで構成される。禁則組み合わせ情報は、個々の機能は実行できるが組み合わせると実行不可となる機能の組み合わせ（禁則設定）を示す情報である。
【００３７】
設定情報管理サーバ３０は、一方の画像形成装置１０から送信された設定内容や情報を登録し、他の画像形成装置１０からの要求に応じて、その登録内容を送信する機能を果たす。
【００３８】
本実施の形態に係る画像形成システム５は、第１の画像形成装置１０Ａまたは第２の画像形成装置１０Ｂのいずれか一方での印刷に係る設定操作の途中で、例えば、禁則設定の発生等によって設定操作が中断し、使用する装置を他方に変更しなければならなくなった場合、その時点までに変更前の装置で設定していた設定内容（設定途中内容とする）を、変更先の装置で再現する機能（設定途中内容再現機能と呼ぶ）を備えている。
【００３９】
なお、変更前の装置で、発生した禁則設定の機能が、変更後の画像形成装置１０で設定可能ならば、前述の再現に加えて、その機能についても設定が行われる。なお、本実施の形態では第１の画像形成装置１０Ａが設定内容を送信し、第２の画像形成装置１０Ｂがその設定内容を再現するものとして説明する。
【００４０】
図２は、画像形成装置１０の概略構成を示している。画像形成装置１０は、当該画像形成装置１０の動作を制御するＣＰＵ（Central Processing Unit）１１と、このＣＰＵ１１に接続されたＲＯＭ（Read Only Memory）１２と、ＲＡＭ（Random Access Memory）１３と、不揮発メモリ１４と、ハードディスク装置１５と、表示部１６と、操作部１７と、ネットワークＩ／Ｆ部１８と、スキャナ部１９と、画像処理部２０と、プリンタ部２１と、ファクシミリ通信部２２で構成されている。
【００４１】
ＣＰＵ１１はＯＳ（Operating System）プログラムをベースとし、その上で、ミドルウェアやアプリケーションプログラムなどが実行される。ＲＯＭ１２には各種のプログラムが格納されており、これらのプログラムに従ってＣＰＵ１１が処理を実行することでジョブの実行など画像形成装置１０の各機能が実現される。ＲＡＭ１３はＣＰＵ１１がプログラムを実行する際に各種のデータを一時的に格納するワークメモリや画像データを格納する画像メモリなどとして使用される。
【００４２】
不揮発メモリ１４は、電源がオフにされても記憶が保持できる書き換え可能なメモリ（フラッシュメモリ）である。不揮発メモリ１４には、装置固有の情報や各種の設定情報などが記憶される。ハードディスク装置１５は、大容量の不揮発の記憶装置であり、ＯＳプログラムや各種アプリケーションプログラム、印刷データや画像データ、ジョブに係る情報履歴（本実施の形態では、設定が途中で中断した場合の設定内容等を含む）などが保存される。
【００４３】
表示部１６は、液晶ディスプレイ（ＬＣＤ…Liquid Crystal Display）などで構成され、各種の操作、設定に係る内容を表示する機能を果たす。操作部１７は、ユーザからのジョブの投入や設定、プリントの際のログインなど、各種の操作を受け付ける機能を果たす。操作部１７は、表示部１６の画面上に設けられて押下された座標位置を検出するタッチパネルのほか、画面外にテンキーや文字入力キー、スタートキーなどを備えて構成される。
【００４４】
ネットワークＩ/Ｆ部１８は、ＬＡＮ（Local Area Network）などのネットワークを通じて接続されている他の外部装置などと通信を行う。本実施の形態では設定情報管理サーバ３０と通信しており、ジョブ設定情報や、機器情報等の送受信を行う。
【００４５】
スキャナ部１９は、原稿を光学的に読み取って画像データを取得する機能を果たす。スキャナ部１９は、たとえば、原稿に光を照射する光源と、その反射光を受けて原稿を幅方向に１ライン分読み取るラインイメージセンサと、ライン単位の読取位置を原稿の長さ方向に順次移動させる移動手段と、原稿からの反射光をラインイメージセンサに導いて結像させるレンズやミラーなどからなる光学経路、ラインイメージセンサの出力するアナログ画像信号をデジタルの画像データに変換する変換部などを備えて構成される。
【００４６】
画像処理部２０は、画像の拡大縮小、回転などの処理のほか、印刷データをイメージデータに変換するラスタライズ処理、画像データの圧縮、伸張処理を行う。
【００４７】
プリンタ部２１は、画像データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。画像形成は、インクジェット方式や、他の方式でもかまわない。
【００４８】
ファクシミリ通信部２２は、ファクシミリ送信および受信に係る動作を制御する。
【００４９】
認証部２３は、画像形成装置１０を使用するユーザのユーザ認証を行う。ユーザは画像形成装置１０を使用する際にはパスワードや、ＩＤ認証等によってログインし、使用終了時にはログアウトする。
【００５０】
後処理装置２４は、Staple等のように印刷後に施される処理を行う。なお、後処理装置２４は、第１の画像形成装置１０Ａには搭載されているが、第２の画像形成装置１０Ｂには、搭載されていない。
【００５１】
画像形成装置１０では、例えば、スキャナ部１９で読み取って得た画像データ等をプリンタ部２１で印刷する際に、ユーザが操作部１７で、その印刷に係る各種の詳細な設定内容（印刷用紙のサイズ、コントラスト、片面・両面、２in１等）を設定することができる。
【００５２】
図３は設定情報管理サーバ３０の概略構成を示している。設定情報管理サーバ３０は、当該設定情報管理サーバ３０の動作を制御するＣＰＵ３１と、このＣＰＵ３１に接続されたＲＯＭ３２と、ＲＡＭ３３と、不揮発メモリ３４と、ハードディスク装置３５と、表示部３６と、操作部３７と、ネットワークＩ／Ｆ部３８で構成されている。
【００５３】
ＣＰＵ３１はＯＳプログラムをベースとし、その上で、ミドルウェアやアプリケーションプログラムなどが実行される。ＲＯＭ３２には各種のプログラムが格納されており、これらのプログラムに従ってＣＰＵ３１が処理を実行することでジョブ設定情報の送受信等、設定情報管理サーバ３０の各機能が実現される。ＲＡＭ３３はＣＰＵ３１がプログラムを実行する際に各種のデータを一時的に格納するワークメモリなどとして使用される。
【００５４】
不揮発メモリ３４は、電源がオフにされても記憶が保持できる書き換え可能なメモリ（フラッシュメモリ）である。不揮発メモリ３４には、設定情報管理サーバ３０の固有情報や各種の設定情報などが記憶される。ハードディスク装置３５は、大容量の不揮発の記憶装置であり、ＯＳプログラムや各種アプリケーションプログラム、画像形成装置１０から受信したジョブ設定情報や、機器情報等が保存される。
【００５５】
表示部３６は、液晶ディスプレイなどで構成される。操作部３７は、キーボードやマウス等で構成される。
【００５６】
ネットワークＩ/Ｆ部３８は、ＬＡＮなどのネットワークを通じて接続されている他の外部装置などと通信を行う。本実施の形態では画像形成装置１０と通信可能にされており、ジョブ設定情報や、機器情報等の送受信を行う。
【００５７】
次に、途中で中断した設定内容を他の画像形成装置で再現する際の画像形成システム５の概略動作を説明する。
【００５８】
図４は、画像形成システム５において、ユーザが第１の画像形成装置１０Ａで所定の設定内容による印刷を行いたかったが、第１の画像形成装置１０Ａでは、その設定内容が禁則設定になっていたので、使用する画像形成装置１０を第１の画像形成装置１０Ａから第２の画像形成装置１０Ｂに変更して印刷を行う状況の一例である。
【００５９】
＜事象１、禁則設定発生＞
ユーザが第１の画像形成装置１０Ａにログインし、印刷に係る設定内容を設定している途中で、禁則設定が発生し、設定操作が中断した。
【００６０】
＜事象２、情報登録＞
第１の画像形成装置１０Ａは、ジョブ設定情報と、第１の画像形成装置１０Ａの機器情報を設定情報管理サーバ３０に送信する。送信するジョブ設定情報は、設定操作が中断した時点での設定内容（設定途中内容）と、発生した禁則設定の内容と、ログインしているユーザを示すユーザ情報などを含む。設定情報管理サーバ３０はこのジョブ設定情報を受信して登録する。
【００６１】
＜事象３、ユーザの移動＞
ユーザが第１の画像形成装置１０Ａをログアウトし、第２の画像形成装置１０Ｂまで移動する。その後、第２の画像形成装置１０Ｂにログインする。
【００６２】
＜事象４、ジョブ設定再現情報要求＞
第２の画像形成装置１０Ｂは、第１の画像形成装置１０Ａでの設定途中内容を再現する為に必要な情報（ジョブ設定再現情報）を、設定情報管理サーバ３０に要求する。その際に、第２の画像形成装置１０Ｂは、自機の機器情報を設定情報管理サーバ３０に送信する。
【００６３】
＜事象５、ジョブ設定再現情報受信＞
設定情報管理サーバ３０は、第２の画像形成装置１０Ｂからジョブ設定再現情報の要求があった場合、登録してある情報に基づいて作成したジョブ設定再現情報を第２の画像形成装置１０Ｂに送信する。第２の画像形成装置１０Ｂはこのジョブ設定再現情報を受信する。
【００６４】
＜事象６、ジョブ設定情報再現＞
第２の画像形成装置１０Ｂは、受信したジョブ設定再現情報から、第１の画像形成装置１０Ａで設定操作が中断した時点での設定内容（設定途中内容）を再現する。第１の画像形成装置１０Ａで実行不可となっていた機能が（禁則設定であった内容が）第２の画像形成装置１０Ｂで実行可能ならば、前述の再現に加えてその機能についても設定を行う。
【００６５】
以下、上記の事象１〜６における処理の流れについて詳細を説明する。
【００６６】
図５は、図４においてユーザが第１の画像形成装置１０Ａでの設定操作の途中で禁則設定が発生したことを表示する画面４０Ａの一例である。図５の画面４０Ａでは、濃度が普通濃度、片面読み取り・片面印刷、用紙サイズＢ４、４in１の内容の設定が行われており、用紙サイズＢ４と４in１の設定の組み合わせは禁則である旨が表示されている。また、ジョブ設定情報を保存するか否かをユーザに問うメッセージと共に、「はい」と「いいえ」の釦が表示されている。
【００６７】
図６は図４においての第１の画像形成装置１０Ａが行う処理の流れを示す。第１の画像形成装置１０Ａは、中断事項が発生するまで待機し（ステップＳ１０１；Ｎｏ）、中断事項が発生したら（ステップＳ１０１；Ｙｅｓ）、ステップＳ１０２に進む。中断事項とは、図５のように禁則設定が発生した場合や、ログインしているユーザがログアウトする場合である。ステップＳ１０２では、表示部１６にジョブ設定情報を保存するか否かをユーザに問うメッセージと共に、「はい」と「いいえ」の釦を表示する（ステップＳ１０２）。ユーザから「はい」の釦の選択を受け付けたら（ステップＳ１０３；Ｙｅｓ）、第１の画像形成装置１０Ａはジョブ設定情報と、機器情報と、ユーザ情報を、設定情報管理サーバ３０に送信し（ステップＳ１０４）、処理を終了する。ユーザから「いいえ」の釦の選択を受け付けたら（ステップＳ１０３；Ｎｏ）、そのまま処理を終了する。
【００６８】
図７は第１の画像形成装置１０Ａからジョブ設定情報を受信した設定情報管理サーバ３０の動作を示している。
【００６９】
まず、設定情報管理サーバ３０は第１の画像形成装置１０Ａが送信したジョブ設定情報を受信し、保存（登録）する（ステップＳ３０１）。設定情報管理サーバ３０はジョブ設定情報を保存してから一定時間が経過するまで待機し（ステップＳ３０２；Ｎｏ）、一定時間が経過したら（ステップＳ３０２；Ｙｅｓ）、ジョブ設定情報を消去して（ステップＳ３０３）処理を終了する。この一定時間は、３時間でも、１日でも、適宜でよいが、好ましくは、該一定時間を経過すると、保存した設定内容の使用される可能性が十分低いと判断できる時間にすることが望ましい。
【００７０】
次に、ユーザが第２の画像形成装置１０Ｂにログインしてから、ジョブ設定再現情報を要求するまでの詳細な流れについて説明する。第２の画像形成装置１０Ｂがジョブ設定再現情報を要求する際には、以下の（１）〜（４）のステップを経てジョブ設定再現情報を要求する。
（１）ユーザの操作によって、第２の画像形成装置１０Ｂは自機にログインしているユーザのユーザ情報と、ユーザ情報が同一のジョブ設定情報の検索を設定情報管理サーバ３０に指示する。(この際に、ユーザ情報と検索指示を送信)
（２）設定情報管理サーバ３０は、第２の画像形成装置１０Ｂから受信したユーザ情報と同一のユーザ情報を持つジョブ設定情報を、登録してあるジョブ設定情報から検索し、その検索結果として得たジョブ設定情報を、第２の画像形成装置１０Ｂに送信する。
（３）第２の画像形成装置１０Ｂは、設定情報管理サーバ３０から受信したジョブ設定情報が複数の場合は、各ジョブ設定情報の内容を表示部にリスト表示し、どのジョブ設定情報に係る設定内容を再現するかについてユーザから選択、決定を受け付ける。設定情報管理サーバ３０から送信されたジョブ設定情報が１つであった場合は、そのジョブ設定情報に係る設定内容の再現を行うことが自動的に決定する。
（４）第２の画像形成装置１０Ｂは、どのジョブ設定情報に係る設定内容を再現するか決定したら、そのジョブ設定内容に対応するジョブ設定再現情報を設定情報管理サーバ３０に要求する。
【００７１】
図８には図４において、設定情報管理サーバ３０が第２の画像形成装置１０Ｂによるジョブ設定再現情報の要求を受信してから、第２の画像形成装置１０Ｂにジョブ設定再現情報を送信するまでの処理の流れを示す。設定情報管理サーバ３０は、第２の画像形成装置１０Ｂから送信されたジョブ設定再現情報の要求と、第２の画像形成装置１０Ｂの機器情報を受信したら（ステップＳ４０１）、第１の画像形成装置１０Ａから受信したジョブ設定情報と、第２の画像形成装置１０Ｂの機器情報とからジョブ設定再現情報を作成する（ステップＳ４０２）。そして、その作成したジョブ設定再現情報を第２の画像形成装置１０Ｂに送信し（ステップＳ４０３）処理を終了する。
【００７２】
設定情報管理サーバ３０に送信される第２の画像形成装置１０Ｂの機器情報とは、第２の画像形成装置１０Ｂの装置状態情報と、禁則組み合わせ情報で構成される。装置状態情報とは、マシンの性能や、機能、消耗品（紙やインク等）の残量、各部のスターテス情報等である。禁則組み合わせ情報とは、組み合わせることによって実行不可になる機能の組み合わせを示す情報である。
【００７３】
図９は、機器情報として送信される際の装置状態情報を示す装置情報フォーマット６０の一例を示す。装置情報フォーマット６０では、資材不足や、故障中である等の理由で使用不可能となっている機能や、性能、設定を確認することができる。
【００７４】
図１０は機器情報として送信される際の禁則組み合わせ情報を示す禁則組み合わせ情報フォーマット７０の一例を示す。禁則組み合わせ情報フォーマット７０は、第２の画像形成装置１０Ｂが実行可能な全ての機能が縦欄（図１０の設定１）、横欄（図１０の設定２）にそれぞれ登録された表であり、縦欄の機能と、横欄の機能との組み合わせが、組み合わせ可能であれば「○」で表示され、組み合わせ不可能（禁則設定）であれば「×」で表示されている。
【００７５】
図１１は、図８の処理でジョブ設定再現情報として作成されるジョブ設定表５０の一例を示している。
【００７６】
ジョブ設定表５０には、機能/性能名５１と、実行可/不可５２と、機能設定有無５３と、原因５４の項目がある。実行可/不可５２の欄には、機能/性能名５１の欄に列挙された各機能（性能）について、第２の画像形成装置１０Ｂで実行可能か否かが示される。機能設定有無５３の欄には、機能/性能名５１の欄に列挙された各機能（性能）について、第１の画像形成装置１０Ａで設定操作が中断した際の設定内容（設定途中内容）においてその設定がされていたか、また設定が禁則設定であったかどうかが表示されている。原因５４には機能設定有無５３での表示が禁則設定であった場合、機能/性能名５１に記述された機能と組み合わされて禁則設定となった他方の機能を表示する。
【００７７】
実行可/不可５２の欄は、対応する機能/性能名５１の欄に記述された機能を第２の画像形成装置１０Ｂで実行可能であれば「１」、禁則設定によって実行不可能ならば「２」、それ以外の理由で実行不可ならば「０」、が登録される。禁則設定以外の理由とは、たとえば紙切れやインク切れ、故障等の場合がある。機能設定有無５３の欄には、対応する機能/性能名５１の欄に記述された機能が、設定途中内容において設定がされていたなら「１」、第１の画像形成装置１０Ａで発生した禁則設定であるならば「２」が登録される。第２の画像形成装置１０Ｂはこのジョブ設定表５０から、第１の画像形成装置１０Ａで設定操作が中断した時点での設定内容を再現する。なお、図１１の例では、第１の画像形成装置１０ＡにてＢ４用紙の設定が、４in１との組み合わせにより禁則設定であったこと、第１の画像形成装置１０Ａでは設定されていたが、第２の画像形成装置１０Ｂでは両面印刷とウォーターマークの機能の組み合わせが禁則設定であること等が読み取れる。
【００７８】
図１２は、図８のステップＳ４０２の詳細を示す流れ図である。まず、設定情報管理サーバ３０は、第１の画像形成装置１０Ａから受信したジョブ設定情報がまだ保存されている状態か否かを調べる（ステップＳ５０１）。まだ保存されている場合は（ステップＳ５０１；Ｙｅｓ）、まず、図１１のジョブ設定表５０における機能/性能名５１の部分を作成する（ステップＳ５０２）。機能/性能名５１の部分を作成する際には、まず第１の画像形成装置１０Ａから受信した、設定途中内容において登録されている機能及び禁則設定になった機能をすべて、そのまま表の欄に設定する。
【００７９】
次に、ジョブ設定表５０における実行可/不可５２の部分を作成する（ステップＳ５０３）。実行可/不可５２の部分を作成する際には、まず、第２の画像形成装置１０Ｂから受信した装置情報フォーマット６０に記載のない機能は、第２の画像形成装置１０Ｂでは実行不可能な機能なので「０」を登録する。次に、第２の画像形成装置１０Ｂから受信した禁則組み合わせ情報フォーマット７０を参照し、機能/性能名５１の欄に設定された残りの機能のうち、その中の機能を組み合わせると、第２の画像形成装置１０Ｂにおいて禁則設定となってしまう機能を調べ、その機能の実行可/不可５２の欄に「２」を登録する。次に、まだ実行可/不可５２の欄が未登録の機能が、第２の画像形成装置１０Ｂにおいて実行不可能であるか否かを、第２の画像形成装置１０Ｂから受信した装置情報フォーマット６０を参照して調べ、その機能が実行可能なら「１」、その機能が資材不足や故障等により実行不可なら「０」を登録する。
【００８０】
ジョブ設定表５０における機能設定有無５３の部分を作成する（ステップＳ５０４）。機能設定有無５３の部分を作成する際には、ステップＳ５０２で機能/性能名５１の欄に設定した機能が、第１の画像形成装置１０Ａから受信した、設定途中内容において登録されている機能であれば「１」、禁則設定になった機能であれば「２」を登録する。
【００８１】
そして、ジョブ設定表５０における原因５４の部分を作成し（ステップＳ５０５）、処理を終了する。原因５４の部分を作成する際には、まずステップＳ５０４で実行可/不可５２の欄に「２」が登録された機能について、第２の画像形成装置１０Ｂにおいてその機能と組み合わされることにより禁則設定となる他方の機能を登録する。この時は第２の画像形成装置１０Ｂから受信した禁則組み合わせ情報フォーマット７０を参照する。次にステップＳ５０４で機能設定有無５３の欄に「２」が登録された機能について、第１の画像形成装置１０Ａにおいてその機能と組み合わされて禁則設定となった他方の機能を登録する。この時は第１の画像形成装置１０Ａから受信したジョブ設定情報のうち、禁則設定となった機能の情報を参照する。
【００８２】
図１３は、図４において、ユーザが第２の画像形成装置１０Ｂにログインした後に第２の画像形成装置１０Ｂが行う処理の流れを示す。
【００８３】
ユーザの操作により、第２の画像形成装置１０Ｂは設定情報管理サーバ３０にジョブ設定再現情報の要求を送信する（ステップＳ２０１）。その際に、第２の画像形成装置１０Ｂの機器情報も送信する（ステップＳ２０２）。その後、設定情報管理サーバ３０からジョブ設定再現情報の取得に成功した場合は（ステップＳ２０３；Ｙｅｓ）、ジョブ設定再現処理を行い（ステップＳ２０５）処理を終了する。ジョブ設定情報が取得できなかった場合は（ステップＳ２０３；Ｎｏ）、通常画面表示を行い（ステップＳ２０４）処理を終了する。ジョブ設定再現処理の詳細については後述する。
【００８４】
図１３のステップＳ２０５において第２の画像形成装置１０Ｂが、ジョブ設定再現情報の示す設定内容を再現する際には、ジョブ設定表５０において、機能設定有無５３に「２」が登録されており、実行可/不可５２の部分に「１」が登録されている機能については、第１の画像形成装置１０Ａでは禁則設定であったが第２の画像形成装置１０Ｂでは実行可能となった機能であると判断し、その機能の表示部分を強調表示する。また、ジョブ設定表５０において、機能設定有無５３に「１」が登録されており、実行可/不可５２の部分に「０」または「２」が登録されている機能については、第１の画像形成装置１０Ａでは実行可能であったが、第２の画像形成装置１０Ｂでは実行不可能となった機能であると判断し、その旨を表示部に表示する。
【００８５】
図１４が示すジョブ設定表５０αは、説明のために、図１１に示すジョブ設定表５０に上記の判断結果を追記して示したものである。Ｂ４用紙欄の機能は、機能設定有無５３に「２」が登録されており、実行可/不可５２の部分に「１」が登録されているので、第１の画像形成装置１０Ａでは禁則設定であったが、第２の画像形成装置１０Ｂでは可能になった機能であると判断されており、その旨が機能設定有無５３の欄に追記されている。また、Staple欄の機能は、機能設定有無５３に「１」が登録されており、実行可/不可５２の部分に「０」が登録されているので、第１の画像形成装置１０Ａでは設定可能であったが、第２の画像形成装置１０Ｂでは不可能になった機能であると判断されており、その旨が実行可/不可５２の部分に追記されている。
【００８６】
図１５は、第２の画像形成装置１０Ｂが設定内容を再現する際に、図１１に示すジョブ設定表５０と上記判断に基づいて、表示部に表示される画面４０Ｂの一例を示す。Ｂ４印字が選択可能になった旨が強調表示（図１５では太字設定として）され、Stapleの機能が選択不可能になった旨も表示されている。また、設定途中内容に含まれていた両面印刷とウォーターマークの機能の組み合わせが禁則設定として発生した旨も表示されている。強調表示は、該当部分の点滅や、音声でのアナウンス等の他の手段でもよい。また実行不可となった旨の通知も、文字の他にも、該当部分のグレーアウトや、音声でのアナウンス等、他の手段でもよい。図１５では、Ｂ４の選択釦は点滅表示し、Staple（ステープル）の釦はグレーアウトで表示されている。
【００８７】
図１６は図１３のステップＳ２０５におけるジョブ設定再現処理の詳細を示す。なお、この処理では、第１の画像形成装置１０Ａでは禁則設定であったが第２の画像形成装置１０Ｂで実行可能となった機能は強調表示し、第１の画像形成装置１０Ａでは実行可能であったが第２の画像形成装置１０Ｂで実行不可となった機能（禁則設定になったものも含む）はグレーアウトで表示するものとする。
【００８８】
第２の画像形成装置１０Ｂはまず、設定情報管理サーバ３０から取得したジョブ設定再現情報としてのジョブ設定表５０の機能/性能５１の欄の最初（一番上の）の機能または性能（以下、記載機能と省略する）に注目する（ステップＳ６０１）。その注目する記載機能の実行可/不可５２の欄に「１」が設定されているか否かによって、その記載機能が画像形成装置１０Ｂにて実行可能か否かを調べる（ステップＳ６０２）。実行可能ならば（「１」が設定されていれば）（ステップＳ６０２；Ｙｅｓ）、ステップＳ６０３で、その注目する記載機能の機能設定有無５３の欄に「１」、「２」のどちらが設定されているかによって、その記載機能が第１の画像形成装置１０Ａで設定されていたか否かを調べる（ステップＳ６０３）。
【００８９】
機能設定有無５３の欄に「１」が設定されていた場合（ステップＳ６０３；Ｙｅｓ）は、その記載機能が第１の画像形成装置１０Ａで設定されていたものとして、その記載機能を自装置の操作部で設定操作を受け付けた場合と同様に、自装置に対して設定し（設定内容の再現）（ステップＳ６０４）、ステップＳ６０５に進む。
【００９０】
機能設定有無５３の欄に「２」が設定されていた場合（ステップＳ６０３；Ｎｏ）は、その記載機能が第１の画像形成装置１０Ａで禁則設定であったとして、自装置の操作部で設定操作を受け付けた場合と同様に、その記載機能を自装置に対して設定し、表示部のその記載機能の表示について強調表示を行い（ステップＳ６０６）、ステップＳ６０５に進む。
【００９１】
ステップＳ６０２において、注目している記載機能が実行不可である場合は（実行可/不可５２の欄に「０」もしくは「２」が登録されていれば）（ステップＳ６０２；Ｎｏ）、注目している記載機能が、第２の画像形成装置１０Ｂにおいて禁則設定であるか否かを調べる（ステップＳ６０７）。禁則設定であれば（実行可/不可５２の欄に「２」が登録されていれば）（ステップＳ６０７；Ｙｅｓ）、禁則設定が発生した旨を表示部に表示し（ステップＳ６０８）、ステップＳ６０９に進む。注目している記載機能が、禁則設定でなければ（実行可/不可５２の欄に「０」が登録されていれば）（ステップＳ６０７；Ｎｏ）、そのままステップＳ６０９に進む。
【００９２】
ステップＳ６０９では、注目している記載機能が第１の画像形成装置１０Ａで設定されていたか否かを調べる（ステップＳ６０９）。その際には、注目する記載機能の機能設定有無５３の欄に「１」、「２」のどちらが設定されているかによって判断する。機能設定有無５３の欄に「１」が設定されていた場合は（ステップＳ６０９；Ｙｅｓ）、その記載機能が第１の画像形成装置１０Ａで設定されていたとして、表示部のその記載機能の表示部分をグレーアウトで表示し（ステップＳ６１０）、ステップＳ６０５に進む。機能設定有無５３の欄に「２」が設定されていた場合は（ステップＳ６０９；Ｎｏ）、その記載機能が第１の画像形成装置１０Ａでは禁則設定であったとして、そのままステップＳ６０５に進む。
【００９３】
ステップＳ６０５では、ジョブ設定表５０の全ての記載機能が処理済みか否かを調べる（ステップＳ６０５）。まだ、処理していない記載機能がある場合は、（ステップＳ６０５；Ｎｏ）、未処理の記載機能の中のいずれか１つを新たに注目する記載機能として（ステップＳ６１１）、ステップＳ６０２に戻って処理を継続する。全ての記載機能について処理済みならば（ステップＳ６０５；Ｙｅｓ）、ステップＳ６１２に進む。
【００９４】
ステップＳ６１２では、ここまでの処理の中で第２の画像形成装置１０Ｂにおいて禁則設定が発生しているか否か（処理の中でステップＳ６０７；Ｙｅｓがあったか否か）を調べる（ステップＳ６１２）。禁則設定が発生していなければ（処理の中でステップＳ６０７；Ｙｅｓが一度もなければ）（ステップＳ６１２；Ｎｏ）、処理を終了する。禁則設定が発生していた場合は（ステップＳ６１２；Ｙｅｓ）、ここまでの処理で自装置に対して設定した設定内容と、その禁則設定の内容と、ユーザ情報（ログイン認証等によって取得した）を設定情報管理サーバ３０に送信し（ステップＳ６１３）、処理を終了する。
【００９５】
本発明によれば、たとえば禁則設定の発生等により、設定操作が途中で中断した場合、その時点での設定内容を他の装置に送信し、他の装置でその設定内容を再現し、利用することができる。また、送信元の装置で禁則設定であった機能が送信先の装置では設定可能ならば、その機能についても送信先の装置で設定する。設定内容を他の装置に送信する際には、サーバ等を中継してもよい。
【００９６】
以上、本発明の実施の形態を図面によって説明してきたが、具体的な構成は実施の形態に示したものに限られるものではなく、本発明の要旨を逸脱しない範囲における変更や追加があっても本発明に含まれる。
【００９７】
本発明の実施の形態では、画像形成システムであったが、画像形成装置を、設定途中内容を他の装置に送信するように機能させる、もしくは、他の装置から受信した設定途中内容を自装置で再現し利用できるように機能させるプログラムでもよい。また、設定途中内容を他の装置に送信する、もしくは他の装置から受信した設定途中内容を自装置で再現し利用できる画像形成装置単体であってもよい。
【００９８】
本発明の実施の形態では、画像形成システム５は第１の画像形成装置１０Ａと第２の画像形成装置１０Ｂと、設定情報管理サーバ３０で構成されていたが、設定情報管理サーバ３０はなくてもよい。その場合は、第１の画像形成装置１０Ａが第２の画像形成装置１０Ｂからジョブ設定再現情報の要求を受信した場合に、ジョブ設定再現情報を作成し、これを第２の画像形成装置１０Ｂに対して送信するように構成すればよい。
【００９９】
ジョブ設定再現情報は、第２の画像形成装置１０Ｂで作成してもよい。その際には、第２の画像形成装置１０Ｂが、第１の画像形成装置１０Ａにおいて設定操作が中断した時点での設定内容（設定途中内容）を受信し、その受信した内容と、自機の機器情報（実施の形態での装置情報フォーマット６０と、禁則組み合わせ情報フォーマット７０に相当）から、ジョブ設定再現情報を作成する。
【０１００】
本発明の実施の形態では、設定管理サーバ３０が登録されているジョブ設定情報を検索する際にユーザ情報を検索キーとして検索したが、他の情報を検索キーとしてもよい。例えば、時刻情報等や、ジョブ設定情報にファイル名等を付与しておき、検索キーとして使用してもよい。
【０１０１】
本発明の実施の形態では、ジョブ設定情報を保存するタイミングは、禁則設定が発生した場合のみであったが、これに限らない。ユーザが自操作によってログアウトする時、設定途中で無操作が所定時間以上継続してタイムアウトした時、ユーザの指示した任意のタイミングなどで（一時的に設定操作を中断する場合等）ジョブ設定情報を保存してもよい。
【０１０２】
本発明の実施の形態は、印刷に係る設定を他の画像形成装置で再現するものであったが、印刷に係る設定に限らず、装置本体の設定等、（たとえば、省電力モードにおける詳細設定や、画面表示に係る詳細設定等）その他の設定でもよい。
【０１０３】
本発明の実施の形態では、画像形成システムを構成する画像形成装置は２台であったが、台数はこれに限らない。２台以上の複数台であればよい。なお画像形成装置が３台以上あって、最初に設定を行っていた第１の画像形成装置で禁則設定の発生により設定が中断し、第２の画像形成装置でその設定途中内容の再現を行った際に、またもや禁則設定が発生したとする。その際には、第２の画像形成装置は、自装置にて再現した設定内容と発生した禁則設定の内容を含む新たなジョブ設定情報をサーバに送信し、第３の画像形成装置で、そのジョブ設定内容に対応するジョブ設定再現情報を取得し、設定途中内容を再現すればよい。その際に第３の画像形成装置においても禁則設定が発生した場合は、先ほどの第２の画像形成装置と同様に動作すればよい。
【０１０４】
第２の画像形成装置１０Ｂで設定途中内容の再現（禁則設定であった機能の設定を含む）が完了した時点で、設定情報管理サーバ３０にその旨を通知し、これを受けた設定情報管理サーバ３０は、その通知に対応するジョブ設定情報がまだ残っていた場合にそのジョブ設定情報を削除してもよい。
【０１０５】
第１の画像形成装置１０Ａで禁則であった機能が、第２の画像形成装置１０Ｂにおいても実行不可能な場合、実行不可能の理由を表示部に表示してもよい。たとえばその機能が、第２の画像形成装置１０Ｂにおいても禁則設定である場合ならその旨を、故障や資材不足によるものならその旨を、そもそも実施不可能な機能であるならばその旨を通知すればよい。
【符号の説明】
【０１０６】
２…ＬＡＮ
５…画像形成システム
１０…画像形成装置
１０Ａ…第１の画像形成装置（ＭＦＰ−Ａ）
１０Ｂ…第２の画像形成装置（ＭＦＰ−Ｂ）
１１…ＣＰＵ
１２…ＲＯＭ
１３…ＲＡＭ
１４…不揮発メモリ
１５…ハードディスク装置
１６…表示部
１７…操作部
１８…ネットワークＩ／Ｆ部
１９…スキャナ部
２０…画像処理部
２１…プリンタ部
２２…ファクシミリ通信部
２３…認証部
２４…後処理装置
３０…設定情報管理サーバ
３１…ＣＰＵ
３２…ＲＯＭ
３３…ＲＡＭ
３４…不揮発メモリ
３５…ハードディスク装置
３６…表示部
３７…操作部
３８…ネットワークＩ／Ｆ部
４０Ａ…画面（第１の画像形成装置）
４０Ｂ…画面（第２の画像形成装置）
５０…ジョブ設定表
５０α…ジョブ設定表（比較結果記載済み）
５１…機能/性能名
５２…実行可/不可
５３…機能設定有無
５４…原因
６０…装置情報フォーマット
７０…禁則組み合わせ情報フォーマット
【図１】
2013089982.tif 000003
【図２】
2013089982.tif 000004
【図３】
2013089982.tif 000005
【図４】
2013089982.tif 000006
【図５】
2013089982.tif 000007
【図６】
2013089982.tif 000008
【図７】
2013089982.tif 000009
【図８】
2013089982.tif 000010
【図９】
2013089982.tif 000011
【図１０】
2013089982.tif 000012
【図１１】
2013089982.tif 000013
【図１２】
2013089982.tif 000014
【図１３】
2013089982.tif 000015
【図１４】
2013089982.tif 000016
【図１５】
2013089982.tif 000017
【図１６】
2013089982.tif 000018